(57)【要約】      （修正有）【課題】船体の低速時における推進抵抗と、高速時における推進抵抗との両方を、高速時における船体の安定を保った状態のもとで同時に低減することのできる水中翼を備えた船舶を提供する。【解決手段】水中翼５を，当該水中翼における揚力にて船体１の全体を持ち上げるようにした後部位置（実線の位置）と，当該水中翼における揚力にて前記船体の前部（船首）を持ち上げるようにした前部位置（二点鎖線の位置）とに前後方向に往復移動可能に構成し，更に，前記水中翼５における迎え角（α）を，前記後部位置及び前記前部位置の両方において調節できるように構成する。【選択図】図４
2010269721.tif 000002
【特許請求の範囲】
【請求項１】
船体における船底面より適宜深さだけ下方で且つ左右の中央の部分に，水中に完全に没して上向きの揚力を得ることができるようにした水中翼を設けて成る船舶において，
前記水中翼は，当該水中翼における揚力にて前記船体の全体を持ち上げるようにした後部位置と，当該水中翼における揚力にて前記船体の前部を持ち上げるようにした前部位置とに前後移動可能に構成されており，更に，前記水中翼における迎え角は，少なくとも前記後部位置及び前記前部位置の両方において調節できるように構成されていることを特徴とする水中翼を備えた船舶。
【請求項２】
前記請求項１の記載において，前記水中翼は，前記船体に対して，前後一対のリンク杆を有するリンク機構にて前後移動可能に支持されており，この水中翼における前後移動は，前記前後一対のリンク杆のうち前部リンク杆又は後部リンク杆の回動にて行うように構成され，更に，前記水中翼における迎え角の調節は，前記前後一対のリンク杆のうち後部リンク杆又は前部リンク杆の上下動にて行うように構成されていることを特徴とする水中翼を備えた船舶。
【請求項３】
前記請求項２の記載において，前記リンク機構は，その前後一対のリンク杆の長さを同じにした平行運動のリンク機構であることを特徴とする水中翼を備えた船舶。
【請求項４】
前記請求項２又は３の記載において，前記前後一対のリンク杆のうち前部リンク杆又は後部リンク杆は，左右の中央に配設した一本の構成であり，前記前後一対のリンク杆のうち後部リンク杆又は前部リンク杆は，左右に配設した二本の構成であることを特徴とする水中翼を備えた船舶。
【請求項５】
前記請求項２〜４のいずれかの記載において，前記前部リンク杆又は後部リンク杆の回動と，前記後部リンク杆又は前部リンク杆の上下動とは，各々別々のアクチェータにて行うように構成されていることを特徴とする水中翼を備えた船舶。
【発明の詳細な説明】
【技術分野】
【０００１】
本発明は，船体における船底面より深い部分に，水中に完全に没して上向きの揚力を得ることができるようにした水中翼を設けて成る船舶に関するものである。
【背景技術】
【０００２】
先行技術としての特許文献１，２及び３には，船体における前後方向への中心線の上の部位に，水中に完全に没して上向きの揚力を得ることができるようにした水中翼を設けて成る船舶が記載されている。
【０００３】
このうち特許文献１に記載の技術は，前記完全水没の水中翼を，船体の重心よりも前側に設けて，船体の前側（船首側）を，前記水中翼における上向きの揚力にて持ち上げることにより，推進抵抗を低減するという構成である。
【０００４】
また，特許文献２及び３に記載の技術は，前記完全水没の水中翼を，船体における重心又はその近傍に設けて，船体の全体（船首側及び船尾側）を，前記水中翼における上向きの揚力にて持ち上げることにより，推進抵抗を低減するという構成である。
【先行技術文献】
【特許文献】
【０００５】
【特許文献１】特開平０６−０９２２８５号公報
【特許文献２】特開平０８−１１９１８３号公報
【特許文献３】特開２００１−１３０４７８号公報
【発明の概要】
【発明が解決しようとする課題】
【０００６】
しかし，前記特許文献１に記載の技術における水中翼は，当該水中翼を船体における前後の重心位置よりも前側（船首側）に位置したときにおいて，所定の揚力を得ることができる迎え角に固定するという構成であることにより，前記所定の揚力を得ることができる迎え角を，低速時に合わせて当該低速時の推進抵抗を減少するように大きい値に設定した場合には，高速時において船体の前側（船首）が上がり過ぎることになるから，船体が不安定になり，また，前記所定の揚力を得ることができる迎え角を，高速時に合わせて当該高速時における船体の安定を図るように小さい値に設定した場合には，低速時において船体の前側（船首側）を持ち上げることができないか，或いは船体の前側（船首側）の持ち上げが不足するから，低速時における推進抵抗の低減を達成できない。
【０００７】
一方，前記特許文献２又は３に記載の技術における水中翼は，当該水中翼を船体における前後の重心位置又はその近傍に位置したときにおいて，所定の揚力を得ることができる迎え角に固定するという構成であることにより，前記所定の揚力を得ることができる迎え角を，低速時に合わせて当該低速時における推進抵抗の低減を達成できるように大きい値に設定した場合には，高速時において船体が上がり過ぎることになるから，船体が不安定になり，また，前記所定の揚力を得ることができる迎え角を，高速時に合わせて当該高速時における船体の安定を図るように小さい値に設定した場合には，低速時において船体を持ち上げることができないか，或いは船体の持ち上げが不足するから，低速時における推進抵抗の低減を達成できない。
【０００８】
つまり，前記各特許文献１〜３に記載の技術では，船体の低速時における推進抵抗と，高速時における推進抵抗との両方を，高速時における船体を安定化を保った状態のもとで，同時に低減することはできないという問題があった。
【０００９】
本発明は，これらの問題を解消できるようにした技術を提供することを技術的課題とする。
【課題を解決するための手段】
【００１０】
この技術的課題を達成するため請求項１は，
「船体における船底面より適宜深さだけ下方で且つ左右の中央の部分に，水中に完全に没して上向きの揚力を得ることができるようにした水中翼を設けて成る船舶において，
前記水中翼は，当該水中翼における揚力にて前記船体の全体を持ち上げるようにした後部位置と，当該水中翼における揚力にて前記船体の前部を持ち上げるようにした前部位置とに前後移動可能に構成されており，更に，前記水中翼における迎え角は，少なくとも前記後部位置及び前記前部位置の両方において調節できるように構成されている。」
ことを特徴としている。
【００１１】
請求項２は，
「前記請求項１の記載において，前記水中翼は，前記船体に対して，前後一対のリンク杆を有するリンク機構にて前後移動可能に支持されており，この水中翼における前後移動は，前記前後一対のリンク杆のうち前部リンク杆又は後部リンク杆の回動にて行うように構成され，更に，前記水中翼における迎え角の調節は，前記前後一対のリンク杆のうち後部リンク杆又は前部リンク杆の上下動にて行うように構成されている。」
ことを特徴としている。
【００１２】
請求項３は，
「前記請求項２の記載において，前記リンク機構は，その前後一対のリンク杆の長さを同じにした平行運動のリンク機構である。」
ことを特徴としている。
【００１３】
請求項４は，
「前記請求項２又は３の記載において，前記前後一対のリンク杆のうち前部リンク杆又は後部リンク杆は，左右の中央に配設した一本の構成であり，前記前後一対のリンク杆のうち後部リンク杆又は前部リンク杆は，左右に配設した二本の構成である。」
ことを特徴としている。
【００１４】
請求項５は，
「前記請求項２〜４のいずれかの記載において，前記前部リンク杆又は後部リンク杆の回動と，前記後部リンク杆又は前部リンク杆の上下動とは，各々別々のアクチェータにて行うように構成されている。」
ことを特徴としている。
【発明の効果】
【００１５】
請求項１の構成において，水中翼を後部位置にした場合，この水中翼によって得られる上向きの揚力は，船体の全体に上向きに作用するから，船体の全体（船首側及び船尾側）が持ち上げられることになる。
【００１６】
一方，前記水中翼を前部位置にした場合，この水中翼によって得られる上向きの揚力は，船体の前側に上向きに作用するから，船体のうち後部（船尾側）を除き，前部（船首側）が積極的に持ち上げられることになる。
【００１７】
そこで，前記水中翼を，船体における速度に関連して，その速度が遅いときにおいて後部位置にすることで，船体の全体（船首側及び船尾側）が持ち上げられることになるから，低速時における推進抵抗を低減することができる。
【００１８】
そして，高速時には，水中翼を前部位置にすることで，船体のうち後部（船尾側）を除き，前部（船首側）が積極的に持ち上げられることになるから，船体の安定性を保った状態のままで，高速時における推進抵抗を下げることができる。
【００１９】
これにより，船体の低速時における推進抵抗と高速時における推進抵抗との両方を，高速時における船体を安定化を保った状態のもとで同時に低減することができ，換言すると，前記船体の安定化を図りつつ，その推進抵抗を低減できるから，低速域から高速域までの全運転域における燃料消費率を大幅に改善できる。
【００２０】
これに加えて，前記水中翼による船体の持ち上げ量の調節を，前記水中翼にフラップを設けて，水中翼における複雑な構成及び水中抵抗の増加を招来することなく，確実に達成できる。
【００２１】
この場合，請求項２によると，前記請求項１を，簡単な構成のリンク機構にて確実に実現できる。
【００２２】
また，請求項３によると，前記水中翼を，その迎え角を略一定に保持した状態ままで，前後移動することができ，この水中翼による船体に対する上向きの揚力が，当該水中翼の前後移動の途中において変化することを低減でき，換言すると，前記水中翼を，船体に対する上向きの揚力の変化を小さくした状態のもとで，前後移動することができるから，前記水中翼の前後移動を，船体の安定を保った状態で，スムースに且つ安全に行うことができる。
【００２３】
更にまた，請求項４によると，前記水中翼を，少ない三本のリンク杆にて，三角形配列の三点で支持することができるから，当該水中翼の左右両端における船体との相対的な上下動（左右両端の上下への傾き）を小さくする姿勢，つまり，前記水中翼の船体に対する傾きを小さくする姿勢にして確実に支持することができるとともに，前記リンク機構における水中抵抗を，リンク杆を四本にして四点支持に構成する場合よりも大幅に低減でき，しかも，軽量化できる。
【００２４】
その上，請求項５によると，前記水中翼における迎え角の調節が，当該水中翼における前後移動とは独立して，その前後移動の途中においても行うことができるから，高い操作性を得ることができる。
【図面の簡単な説明】
【００２５】
【図１】本発明の実施の形態による船体の側面図である。
【図２】図１の底面図である。
【図３】図１のIII −III 視後面図である。
【図４】本発明の実施の形態における要部を示す縦断正面図である。
【図５】図４のＶ−Ｖ視断面図である。
【図６】図４のVI- ＶI 視断面図である。
【図７】図４のVII-VII 視断面図である。
【図８】図５のVIII−VIII視拡大断面図である。
【図９】図８のIX-IX 視断面図である。
【図１０】図５のＸ−Ｘ視拡大断面図である。
【図１１】図１０のXI-XI 視断面図である。
【図１２】リンク機構と水中翼との連結部の別の実施の形態を示す図である。
【図１３】リンク機構と水中翼との連結部の別の実施の形態を示す図である。
【図１４】水中翼における第１作用の状態を示す斜視図である。
【図１５】図１３のXV-XV 視拡大断面図である。
【図１６】水中翼における第２作用の状態を示す斜視図である。
【図１７】水中翼における第３作用の状態を示す斜視図である。
【発明を実施するための形態】
【００２６】
以下，本発明の実施の形態を，図１〜図１７の図面について説明する。
【００２７】
これらの図において，符号１は，例えば強化合成樹脂（ＦＲＢ）製の漁船又はボート等に使用される船体を示し，この船体１には，キャビン２が設けられている。
【００２８】
また，前記船体１の船尾には，左右一対の推進機（スクリュー）３ａ，３ｂが設けられているほか，図示しない舵取り装置が設けられている。
【００２９】
前記左右一対の推進機（スクリュー）３ａ，３ｂの各々は，前記船体１の後部に搭載した二台のエンジン４ａ，４ｂにより別々に単独で回転駆動するように構成されているが，一台のエンジンにて，別々に単独で回転駆動するという構成にすることができる。
【００３０】
符号５は，前記船体１における船底面６よりも適宜寸法（Ｗ）だけ深い位置に配設した完全水没式の水中翼を示す。
【００３１】
この水中翼５は，例えば金属板又は硬質合成樹脂板等のように，弾性的に抗して撓み変形が可能な弾性板製であり，翼形の断面形状であることに加えて，図２に示すように，底面視（平面視）において，前記船体１における前後方向の中心線７上における中央の部位に位置し，この部分から左右に延びる構成であり，水中に完全に没した状態で前記船体１が白抜き矢印（Ａ）で示すように前進することに対して迎え角（α）を備え，前記船体１が白抜き矢印（Ａ）で示すように前進するときに船体１を持ち上げるような上向きの揚力（Ｆ）を得ることができるという構成である。
【００３２】
また，前記水中翼５は，前記船体１に対して，以下に詳しく説明する移動装置８により，前記船体１における前後の重心（Ｇ）の真下の位置又は前記重心（Ｇ）の真下近傍に位置する後部位置（実線で示す位置）と，これより前方に適宜距離（Ｌ）を隔てた前部位置（二点鎖線で示す位置）との間を往復して前後移動できるように支持されている。
【００３３】
前記移動装置８は，図４〜図７に示すように構成されている。
【００３４】
すなわち，この移動装置８は，前記船体１内の底部に配設した軸受けボックス体９と，この軸受けボックス体９にて軸支した回転軸１０と，この回転軸１０に対して前記水中翼５を支持するリンク機構１１と，前記回転軸１０を正逆回転することによって前記水中翼５を前後移動するための前後動用アクチェータ１２と，前記水中翼５における迎え角（α）を増減調節するための左右一対の迎え角用アクチェータ１３ａ，１３ｂ等によって構成されている。
【００３５】
前記軸受けボックス体９は，下面のみを開放した箱型の構成であり，前記船体１における船底板６ａの上面に，当該船底板６ａに穿設した開口孔１４を塞ぐように複数本のボルト１５にて着脱可能に取付けられている。
【００３６】
一方，前記回転軸１０は，前記船体１における前後方向の中心線７に対して直角の水平方向に延びて，その両端の部分の各々には，左右一対の中空軸１６ａ，１６ｂが回転自在に被嵌されており，この両中空軸１６ａ，１６ｂの各々は，前記軸受けボックス体９の左右両側面板９ａ，９ｂに設けた軸受け部１７ａ，１７ｂにて回転自在に軸支されている。また，前記回転軸１０の両端は，前記両中空軸１６ａ，１６ｂにより回転自在に軸支されている。
【００３７】
前記両中空軸１６ａ，１６ｂの各々における左右両端は，前記軸受け部１７ａ，１７ｂの外側，つまり，前記軸受けボックス体９よりも外側の船内側に突出しているとともに，前記軸受け部１７ａ，１７ｂの内側，つまり，前記軸受けボックス体９内の船外側に突出している一方，前記回転軸１０の右端１０ａ及び左端１０ｂは，前記中空軸１６ａ，１６ｂにおける船内側への突出端よりも更に船内側に突出している。
【００３８】
前記回転軸１０における右端１０ａ及び左端１０ｂには，上向きに延びる回転アーム１８ａ，１８ｂが，前記回転軸１０と一緒に回転するように固着されており，この両回転アーム１８ａ，１８ｂの相互間は，前記軸受けボックス体９を跨ぐように構成した横部材１９にて一体に連結されている。
【００３９】
また，前記両中空軸１６ａ，１６ｂのうち前記軸受けボックス体９内（つまり，船外側）への突出端の各々には，前方向きに延びる迎え角用アーム２０ａ，２０ｂが，前記両中空軸１６ａ，１６ｂと一緒に回転するように固着されている一方，前記両中空軸１６ａ，１６ｂのうち前記軸受けボックス体９外（つまり，船内側）への突出端の各々には，上向きに延びる回転アーム２１ａ，２１ｂが，前記両中空軸１６ａ，１６ｂと一緒に回転するように固着されている。
【００４０】
前記回転軸１０の外周とこれに被嵌する両中空軸１６ａ，１６ｂの内周との間，及び前記両中空軸１６ａ，１６ｂの外周とその軸受け部１７ａ，１７ｂとの間の各々には，図７に示すように，Ｏリング等のようなシール用リング体２２，２３が設けられ，前記軸受けボックス体９の内側（船外側）の水が前記軸受けボックス体９の外側（船内側）に進入するのを，前記シール用リング体２２，２３にて阻止するように構成している。
【００４１】
前記リンク機構１１は，前記船体１における前後方向の中心線７上の部分に配設した一本の第１リンク杆２４と，前記中心線７を挟んで両側に配設した左右一対の第２リンク杆２５ａ，２５ｂとによって構成されている。
【００４２】
前記一本の第１リンク杆２４における上端は，前記回転軸１０のうち前記軸受けボックス体９の内側（船外側）の部分に，前記回転軸１０と一緒に回動するように固着され，この第１リンク杆２４における下端は，前記水中翼５における後端の部分に，後部ピン２６による枢着にて回転自在に連結されている。
【００４３】
前記後部ピン２６は，図８及び図９に示すように，前記回転軸１０と同様に，前後方向の中心線７と直角の水平方向に延びており，例えば，前記第１リンク杆２４を貫通し，その両端が，前記水中翼５と，これに複数本のねじ３３等にて着脱可能に取り付けた軸受け板３４とで回転自在に軸支されるという構成である。
【００４４】
一方，前記両第２リンク杆２５ａ，２５ｂの上端の各々は，前記両迎え角用アーム２０ａ，２０ｂの先端にピン２７ａ，２７ｂによる枢着にて回転自在に連結され，この両第２リンク杆２５ａ，２５ｂの下端の各々は，前記水中翼５における前端の左右両側の部分に，前部ピン２８ａ，２８ｂによる枢着にて回転自在に連結されている。
【００４５】
前記前部ピン２８ａ，２８ｂは，図１０及び図１１に示すように，前記回転軸１０と同様に，前記前後方向の中心線７と直角の水平方向に延びており，例えば，前記第２リンク杆２５ａ，２５ｂを貫通し，その両端が，前記水中翼５と，これに複数本のねじ３５等にて着脱可能に取り付けた軸受け板３６とで回転自在に軸支されるという構成である。
【００４６】
これにより，前記水中翼５は，前記回転軸１０の正逆回転にて，前記第１リンク杆２４が前後方向に回動することにより，前記船体１における前後の重心（Ｇ）の真下の位置又は前記重心（Ｇ）の真下近傍に位置する後部位置（実線で示す位置）と，これより前方に適宜距離（Ｌ）を隔てた前部位置（二点鎖線で示す位置）との間を往復して前後移動されるという構成である。
【００４７】
この場合において，前記リンク機構１１は，その第１リンク杆２４における長さ寸法と両第２リンク杆２５ａ，２５ｂにおける長さ寸法とを同じにする一方，前記後部ピン２６及び両前部ピン２８ａ，２８ｂ間における前後方向の距離（Ｓ１）と前記両迎え角用アーム２０ａ，２０ｂにおけるアーム半径寸法（Ｓ２）とを同じにすることにより，これらで常に平行四辺形を形成するという平行運動のリンク機構に構成されている。
【００４８】
なお，前記第１リンク杆２４及び両第２リンク杆２５ａ，２５ｂは，船体１における白抜き矢印（Ａ）で示す前進方向と平行な薄板製であり，その断面は，水中抵抗を小さくするように流線型に構成されている。
【００４９】
前記した前後動用アクチェータ１２は，図示するように，例えば油圧又は空気圧による復動型のシリンダの形式であり，前記軸受けボックス体９の外側（船内側）に前向きに突出するように設けたブラケット２９におけるピン３０と，前記横部材１９との間に設けられており，この前後動用アクチェータ１２の作動により前記回転軸１０を正逆回転するというように構成されている。なお，この前後動用アクチェータ１２は，シリンダの形式にすることに代えて，電動モータ等の形式にすることができる。
【００５０】
また，前記両迎え角用アクチェータ１３ａ，１３ｂは，図示するように，例えば油圧又は空気圧による復動型のシリンダの形式であり，前記軸受けボックス体９の外側（船内側）に後ろ向きに突出するように設けたブラケット３１ａ，３１ｂにおけるピン３２ａ，３２ｂと，前記両中空軸１６ａ，１６ｂにおける回転アーム２１ａ，２１ｂとの間に設けられており，この両アクチェータ１３ａ，１３ｂのうち右側のアクチェータ１３ａの作動により右側の中空軸１６ａを正逆回転すると，右側の第２リンク杆２５ａが上下動し，左側のアクチェータ１３ｂの作動により左側の中空軸１６ｂを正逆回転すると，左側の第２リンク杆２５ｂが上下動するというように構成されている。なお，この両迎え角用アクチェータ１３ａ，１３ｂも，シリンダの形式にすることに代えて，電動モータ等の形式にすることができる。
【００５１】
前記した構成において，前記水中翼５は，その移動装置８における回転軸１０を前後動用アクチェータ１２の作動にて正逆回転することにより，リンク機構１１により，図に実線で示す後部位置と，図に二点鎖線で示す前部位置との間を往復して前後移動される。
【００５２】
そして，前記水中翼５を，図に実線で示す後部位置にした場合，この水中翼５によって得られる上向きの揚力（Ｆ）は，船体１の重心（Ｇ）又はその近傍に上向きに作用するから，船体１の全体（船首側及び船尾側）が持ち上げられることになる。
【００５３】
一方，前記水中翼５を，図に二点鎖線で示す前部位置にした場合，この水中翼５によって得られる上向きの揚力（Ｆ）は，船体１の重心（Ｇ）より前側に上向きに作用するから，船体１のうち後部（船尾側）を除き，前部（船首側）が積極的に持ち上げられることになる。
【００５４】
そこで，前記水中翼５を，船体１における速度に関連して，その速度が遅いときにおいて図に実線で示す後部位置にする一方，その速度が早いときにおいて図に二点鎖線で示す前部位置にするというように構成することにより，低速時には，船体１の全体（船首側及び船尾側）が持ち上げられることになるから，低速時の推進抵抗を下げることができる一方，高速時には，船体１の前部（船首側）が図１に二点鎖線で示すように，積極的に持ち上げられることになるから，船体１の安定性を保った状態のままで，高速時の推進抵抗を下げることができる。
【００５５】
また，前記水中翼５を船体１に対して前後移動可能に支持するためのリンク機構１１は，前記したように，常に平行四辺形を形成するという平行運動のリンク機構に構成されていることにより，前記水中翼５おける迎え角（α）は，当該水中翼５を後部位置にした場合と前部位置にした場合とでは殆ど変化することなく，略一定に保持でき，換言すると，前記迎え角（α）が前後移動の途中において変化することを低減できる。
【００５６】
これにより，前記水中翼５の船体１に対する上向きの揚力が，当該水中翼５の前後移動の途中において変化することを低減でき，ひいては，前記水中翼５を，船体１に対する上向きの揚力の変化を小さくした状態のもとで，前後移動することができるから，前記水中翼５の前後移動を，船体１の安定を保った状態で，スムースに且つ安全に行うことができる。
【００５７】
この場合，前記水中翼５を船体１に対して支持するためのリンク機構１１が，中央における一本の第１リンク杆２４と左右両側における二本の第２リンク杆２５ａ，２５ｂとの三本のリンク４によって構成されていて，前記水中翼５を，前記中心線７上に一つの頂点を有する三角形配列の三点で支持するという構成であることにより，前記水中翼５を，少ない本数，つまり，三本のリンク杆２４，２５ａ，２５ｂにて，当該水中翼５の左右両端における船体１との相対的な上下動を小さくする姿勢にして確実に保持することができる。
【００５８】
これにより，前記水中翼５を船体１に対して，三本のリンク杆２４，２５ａ，２５ｂで構成されるリンク機構１１にて，前後方向の中心線７の方向から見たときにおける前記水中翼５の左右両端の上下方向への傾きを小さくする姿勢にして確実に支持することができるものでありながら，前記リンク機構１１における水中抵抗を，リンク杆を四本にして四点支持に構成する場合によりも大幅に低減でき，しかも，軽量化できる。
【００５９】
次に，前記した構成においては，前記移動装置８における両中空軸１６ａ，１６ｂを，その各々に対するアクチェータ１３ａ，１３ｂの作動にて同時に同じ方向に同じ回転角度だけ正逆回転することにより，前記両第２リンク杆２５ａ，２５ｂが，図１４及び図１５において，二点鎖線の矢印又は点線の矢印で示すように，同時に同じ方向に同じ距離だけ上下動して，前記水中翼５の前部が，二点鎖線及び点線で示すように，前記第１リンク杆２４に対する後部ピン２６を中心にして上下に回動することになるから，前記水中翼５における迎え角（α）を増減調節することができる。
【００６０】
これにより，前記水中翼５による船体１の持ち上げ量を，当該水中翼５にフラップを設けない構成にして，任意に調節することができる。
【００６１】
また，前記した構成においては，前記両中空軸１６ａ，１６ｂのうち例えば右側の中空軸１６ａを，当該中空軸１６ａに対するアクチェータ１３ａの作動にて正逆回転すると，前記両第２リンク杆２５ａ，２５ｂのうち右側の第２リンク杆２５ａが，図１６において二点鎖線の矢印又は点線の矢印で示すように，上下動することにより，前記水中翼５のうち右半分（右側）の部分５ａが，二点鎖線又は点線で示すように，捩じられることになるから，前記水中翼５のうち右半分（右側）の部分５ａにおける迎え角（αａ）を増減調節することができる。
【００６２】
更にまた，前記した構成においては，前記両中空軸１６ａ，１６ｂのうち例えば左側の中空軸１６ｂを，当該中空軸１６ｂに対するアクチェータ１３ｂの作動にて正逆回転すると，前記両第２リンク杆２５ａ，２５ｂのうち左側の第２リンク杆２５ｂが，図１７において二点鎖線の矢印又は点線の矢印で示すように，上下動することにより，前記水中翼５のうち左半分（左側）の部分５ｂが，二点鎖線又は点線で示すように，捩じられることになるから，前記水中翼５のうち左半分（左側）の部分５ｂにおける迎え角（αｂ）を増減調節することができる。
【００６３】
このように，前記水中翼５における迎え角（α）を，当該水中翼５のうち右半分（右側）の部分５ａと，左半分（左側）の部分５ｂとで相対的に増減調節できるという構成した場合には，この左右における迎え角の増減調節によって，以下に述べるように，前記船体１におけるローリングを抑制できることに加えて，船体１における旋回半径を縮小できる。
【００６４】
すなわち，前記船体１が，図３に実線矢印（Ｂ１）で示すように，右舷１ａが下がり左舷１ｂが上がるように時計方向にローリングした場合には，前記水中翼５のうち右半分（右側）の部分５ａにおける迎え角（αａ）を大きくするか，或いは，前記水中翼５のうち左半分（左側）の部分５ｂにおける迎え角（αｂ）を小さくするように調節することにより，前記水中翼５による前記船体１の右舷１ａの持ち上げが大きくなるか，前記水中翼５による前記船体１の左舷１ｂの持ち上げが小さくなるから，これにより，前記船体１における実線矢印Ｂ１の方向（時計方向）へのローリングを抑制することができる。
【００６５】
なお，前記船体１における時計方向へのローリングに対しては，前記水中翼５のうち右半分（右側）の部分５ａにおける迎え角（αａ）を大きくすることと，左半分（左側）の部分５ｂにおける迎え角（αｂ）を小さくすることとを同時に行うように構成できることは勿論である。
【００６６】
一方，前記船体１が，図３に点線矢印（Ｂ２）で示すように，左舷１ｂが下がり右舷１ａが上がるように反時計方向にローリングした場合には，前記水中翼５のうち左半分（左側）の部分５ｂにおける迎え角（αｂ）を大きくするか，或いは，前記水中翼５のうち右半分（右側）の部分５ａにおける迎え角（αａ）を小さくするように調節することにより，前記水中翼５による前記船体１の左舷１ｂの持ち上げが大きくなるか，前記水中翼５による前記船体１の右舷１ａの持ち上げが小さくなるから，これにより，前記船体１における点線矢印Ｂ２の方向（反時計方向）へのローリングを抑制することができる。
【００６７】
勿論，この反時計方向へのローリングに対しても，前記水中翼５のうち左半分（左側）の部分５ｂにおける迎え角（αｂ）を大きくすることと，右半分（右側）の部分５ａにおける迎え角（αａ）を小さくすることとを同時に行うように構成しても良いことはいうまでもない。
【００６８】
次に，前記船体１を右旋回する場合には，前記水中翼５のうち左半分（左側）の部分（旋回の外側）５ｂにおける迎え角（αｂ）を大きくするか，或いは，前記水中翼５のうち右半分（右側）の部分（旋回の内側）５ａにおける迎え角（αａ）を小さくするように調節することにより，前記船体１は，その右舷１ａが下がりその左舷１ｂが上がるように旋回方向の内側に傾くことになるから，右旋回の半径を小さくできる。
【００６９】
また，前記船体１を左旋回する場合には，前記水中翼５のうち右半分（右側）の部分（旋回の外側）５ａにおける迎え角（αａ）を大きくするか，或いは，前記水中翼５のうち左半分（左側）の部分（旋回の内側）５ｂにおける迎え角（αｂ）を小さくするように調節することにより，前記船体１は，その左舷が下がりその右舷が上がるように旋回方向の内側に傾くことになるから，左旋回の半径を小さくできる。
【００７０】
勿論，これら左右への旋回に際しても，前記水中翼５のうち右半分（右側）の部分５ａにおける迎え角（αａ）と，左半分（左側）の部分５ｂにおける迎え角（αｂ）とを同時に調節するという構成にすることができる。
【００７１】
なお，前記船体１の旋回に際しては，前記水中翼５を前記したように操作することに加えて，当該船体１に対する左右一対の両推進機（スクリュー）３ａ，３ｂを，その間における回転数に差ができるように制御する（例えば，旋回方向の外側に位置する推進機における回転数を，旋回方向の内側に位置する推進機における回転数よりも早くするか，旋回方向の外側の推進機における回転数を，旋回方向の内側の推進機の回転数よりも遅くする）ことにより，旋回半径を一層に小さくできる。
【００７２】
前記水中翼５は，例えば金属板又は硬質合成樹脂板等のように，弾性的に抗して撓み変形可能な弾性体製にすることにより，前記水中翼５のうち右半分（右側）の部分５ａを図１６に示すように捩じったり，又は，当該水中翼５のうち左半分（左側）の部分５ｂを図１７に示すように捩じったり，或いは，水中翼５のうち右半分（右側）の部分５ａと左半分（左側）の部分５ｂとを互いに逆方向に捩じったりすることが容易にできるように構成されている。
【００７３】
また，前記リンク機構１１における第１リンク杆２４の前記水中翼５への連結部を，図示の後部ピン２６にすることに代えて，図１２に示すように，球関節２６′に構成し，更に，前記リンク機構１１における左右一対の第２リンク杆２５ａ，２５ｂの前記水中翼５への連結部を，図示の前部ピン２８ａ，２８ｂにすることに代えて，図１３に示すように，球関節２８′に構成することにより，前記水中翼５のうち右半分（右側）部分５ａを図１６に示すように捩じったり，又は，当該水中翼５のうち左半分（左側）の部分５ｂを図１７に示すように捩じったり，或いは，水中翼５のうち右半分（右側）の部分５ａと左半分（左側）の部分５ｂとを互いに逆方向に捩じったりすることが容易にできるように構成することができる。
【００７４】
ところで，前記した図示の実施の形態においては，前記移動装置８の両中空軸１６ａ，１６ｂにおける迎え角用アーム２０ａ，２０ｂを前向きにし，前記リンク機構１１における一本の第１リンク杆２４を二本の第２リンク杆２５ａ，２５ｂの後ろ側に配設して，この第１リンク杆２４を回転軸１９に連結する一方，前記二本の第２リンク杆２５ａ，２５ｂを一本の第１リンク杆２４の前側に配設して，前記前向きの迎え角用アーム２０ａ，２０ｂを介して中空軸１６ａ，１６ｂに連結するという構成にした場合であった。
【００７５】
本発明は，かかる構成にすることに限らず，前記迎え角用アーム２０ａ，２０ｂを後ろ向きにし，前記第１リンク杆２４を両第２リンク杆２５ａ，２５ｂの前側に配設して回転軸１０に連結する一方，両第２リンク杆２５ａ，２５ｂを第１リンク杆２４の後ろ側に各々配設して前記後ろ向きの迎え角用アーム２０ａ，２０ｂを介して中空軸１６ａ，１６ｂに連結するという構成にすることができる。
【００７６】
この構成にした場合，前記水中翼５における迎え角（α）の調節は，当該水中翼５における後部を，両第２リンク杆２５ａ，２５ｂにて上下動することによって行われる。勿論，前記水中翼５における左右半分ごとの捩じりも，前記両第２リンク杆２５ａ，２５ｂのうちいずれか一方の第２リンク杆の上下動にて行われる。
【００７７】
要するに，本発明においては，前記リンク機構１１を，前後一対のリンク杆を有する構成にして，この前後一対のうち前部リンク杆又は後部リンク杆を，中央に位置する一本の構成にする一方，前記前後一対のうち後部リンク杆又は前部リンク杆を，左右両側に位置する二本の構成にすることができるのである。
【００７８】
また，前記図示した実施の形態において，前記水中翼５における右半分（右側）の部分５ａの捩じり，及び，左半分（左側）の部分５ｂの捩じりを必要としない場合，つまり，前記水中翼５によるローリングの抑制及び旋回半径の縮小を行わない場合には，前記第１リンク杆２４，及び第２リンク杆２５ａ，２５ｂのうち第２リンク杆２５ａ，２５ｂを前後動用アクチェータにて前後方向に回動する構成にして，前記水中翼５を前後移動する一方，前記第１リンク２４を上下動する構成にして，前記水中翼５における迎え角（α）を調節するという構造にすることができる。
【００７９】
すなわち，前記水中翼５における前後移動を，前記前後一対のリンク杆２４，２５ａ，２５ｂのうち前部に位置する第２リンク杆２５ａ，２５ｂ又は後部に位置する第１リンク杆２４の回動にて行うように構成する一方，前記水中翼５における迎え角（α）の調節は，前記前後一対のリンク杆２４，２５ａ，２５ｂのうち後部に位置する第１リンク杆２４又は前部に位置する第２リンク杆２５ａ，２５ｂの上下動にて行うように構成にすることができる。
【００８０】
更に換言すると，本発明は，前記リンク機構１１における前後一対のリンク杆のうち前部リンク杆又は後部リンク杆を，左右二本のリンク杆２５ａ，２５ｂによる構成にし，前記前後一対のリンク杆のうち後部リンク杆又は前部リンク杆を，一本のリンク杆２４による構成にしており，前記中空軸を，前記二本構成の両リンク杆２５ａ，２５ｂごとに対応する左右二つの中空軸１６ａ，１６ｂによって構成して，その各々を船体１に対して軸受け部１７ａ，１７ｂにて軸支する一方，前記回転軸１０を，前記一本構成のリンク杆に対応する一本の構成にして，この一本の回転軸１０の両端を，前記二つの中空軸１６ａ，１６ｂにて軸支するという構成にしている。
【符号の説明】
【００８１】
１                  船体
１ａ                船体の右舷
１ｂ                船体の左舷
２                  キャビン
３ａ，３ｂ          推進機（スクリュー）
４ａ，４ｂ          エンジン
５                  水中翼
５ａ                水中翼の右半分（右側）の部分
５ｂ                水中翼の左半分（左側）の部分
（α）              水中翼の迎え角
（αａ）            水中翼右端の迎え角
（αｂ）            水中翼左端の迎え角
６                  船底面
７                  船体の前後中心線
８                  水中翼の移動装置
９                  軸受けボックス体
１０                回転軸
１１                リンク機構
１２                前後動用アクチェータ
１３ａ，１３ｂ      迎え角用アクチェータ
１４                開口孔
１６ａ，１６ｂ      中空軸
１７ａ，１７ｂ      軸受け部
１８ａ，１８ｂ      回転アーム
１９                横部材
２０ａ，２０ｂ      迎え角用アーム
２１ａ，２１ｂ      回転アーム
２２，２３          シール用リング体
２４                第１（後部）リンク杆
２５ａ，２５ｂ      第２（前部）リンク杆
２６                後部ピン
２８ａ，２８ｂ      前部ピン
２６′，２８′      球関節
【図１】
2010269721.tif 000003
【図２】
2010269721.tif 000004
【図３】
2010269721.tif 000005
【図４】
2010269721.tif 000006
【図５】
2010269721.tif 000007
【図６】
2010269721.tif 000008
【図７】
2010269721.tif 000009
【図８】
2010269721.tif 000010
【図９】
2010269721.tif 000011
【図１０】
2010269721.tif 000012
【図１１】
2010269721.tif 000013
【図１２】
2010269721.tif 000014
【図１３】
2010269721.tif 000015
【図１４】
2010269721.tif 000016
【図１５】
2010269721.tif 000017
【図１６】
2010269721.tif 000018
【図１７】
2010269721.tif 000019